(57)【要約】      （修正有）【課題】弁当箱を加熱することに便利な軍用の弁当箱を提供する。【解決手段】弁当箱２１は、作動チャンバ６０により水溝４６の中に水を入れ、蒸し板３３の上端面と作動チャンバの上端壁に食べ物が置かれており、蓋３７により作動チャンバを閉じ、固定長ロッド５７が内溝５６の中にある。弁当箱の下端面を加熱し、水溝４６の蒸汽が食べ物を加熱し、加熱が完了した時、取っ手３５を排気口３６の方向へ引き、蓋３７と蒸し板３３とが自動的に弾き出され、そして食べ物を取り出して食べることができる。【選択図】図１
2020182773.tif 000002
【特許請求の範囲】
【請求項１】
正面視で、弁当箱を含み、前記弁当箱の中には作動チャンバが設置され、前記作動チャンバの中には蒸煮装置が設置され、前記蒸煮装置は蓋を含み、前記蒸煮装置は前記蓋を開けることにより、水と蒸し煮が必要な糧又は料理などを前記作動チャンバの中に入れ、前記作動チャンバの左右端壁には引っ掛かり溝が対称的に設置され、前記作動チャンバの下端壁には伸縮溝が左右対称的に設置され、前記作動チャンバの下端壁にはまた六つの蒸汽溝が設置され、前記蒸汽溝の下端壁には水溝が設置され、前記作動チャンバの左右端壁には収納空間が対称的に設置され、前記収納空間の中には支持装置が設置され、前記支持装置は捻りバネ板と固定長ロッドとを含み、前記支持装置は前記固定長ロッドと前記捻りバネ板との伸長により、前記弁当箱を支持し、これにより前記弁当箱が地面から離脱することができ、ご飯を作ることに便利を与え、前記収納空間のうち前記作動チャンバに近接している一端にはカム溝が設置され、前記収納空間の下端壁には底溝が設置され、前記底溝のうち前記作動チャンバに近接している一端には固定溝が設置され、前記固定溝の上端壁には収納ブロック溝が設置されたことを特徴とする軍用の便利な弁当箱。
【請求項２】
前記蒸煮装置は弧状溝を含み、前記弧状溝が前記蓋の上端面に位置しており、前記弧状溝の下端壁には排気口が設置され、前記弧状溝の左右端壁には当接ブロックスライド溝が対称的に設置され、前記当接ブロックスライド溝の下端壁にはリミット溝が設置され、前記当接ブロックスライド溝の中には当接ブロックがスライドできるように連結され、前記当接ブロックが前記引っ掛かり溝とスライドできるように連結され、前記当接ブロックの下端にはリミットブロックが設置され、前記リミットブロックが前記リミット溝とスライドできるように連結され、前記リミット溝と前記リミットブロックとの間にはリミットバネが連結され、前記当接ブロックのうち前記作動チャンバの中心に近接している一端には取っ手が設置され、前記蓋の下端面には支持ロッドが対称的に設置され、前記支持ロッドの下端には蒸し板が設置され、前記蓋の下端面には伸縮ロッドが左右対称的に設置され、前記伸縮ロッドが前記伸縮溝とスライドできるように連結され、前記伸縮ロッドの下端には前記伸縮溝とスライドできるように連結されたバネブロックが設置され、前記バネブロックと前記伸縮溝との間には復帰バネが連結され、前記取っ手を前記排気口の方向に向かって引き、前記蓋と前記蒸し板とが自動的に弾き出されることを特徴とする請求項１に記載の軍用の便利な弁当箱。
【請求項３】
前記支持装置は左右合計二つ設置され、左の前記支持装置を例として説明し、前記収納空間の前後端壁にはヒンジ連結ロッドが回転できるように連結され、前記ヒンジ連結ロッドには捻りバネが設置され、前記捻りバネが前記捻りバネ板と固定的に連結され、前記捻りバネ板の上端には六つの引っ掛かりヘッドが設置され、前記捻りバネ板の下端にはスライド空間が設置され、前記スライド空間の中には前記固定長ロッドがスライドできるように連結され、前記固定長ロッドと前記スライド空間との間には固定バネが設置され、前記カム溝の中にはＬロッドがスライドできるように連結され、前記Ｌロッドが前記引っ掛かりヘッドと当接することができ、前記Ｌロッドと前記カム溝との間にはＬロッドバネが上下対称的に連結され、前記カム溝の上端壁と前記弁当箱の上端面にはカム軸が回転できるように連結され、前記カム軸の上端にはつまみが設置され、前記カム軸の下端にはカムが設置され、前記収納ブロック溝の中には収納ブロックがスライドできるように連結され、前記収納ブロックと前記収納ブロック溝との間には収納バネが連結され、前記収納ブロックの中には内溝が設置され、前記内溝の中には頂板がスライドできるように連結され、前記頂板と前記内溝との間にはボタンバネが左右対称的に設置され、前記頂板の下端には連結ロッドが設置され、前記連結ロッドが前記収納ブロックとスライドできるように連結され、前記連結ロッドの下端にはボタンが設置され、前記固定溝の前後端壁には断熱ソフトブロックが対称的に設置され、前記連結ロッドが右方へ移動する時、前記ボタンバネの間に引っかかることができ、前記頂板が上方へ移動することにより、前記固定長ロッドを前記内溝から押し出すことができることを特徴とする請求項１に記載の軍用の便利な弁当箱。
【発明の詳細な説明】
【技術分野】
【０００１】
本発明は軍用設備分野を取り上げて、具体的には軍用の便利な弁当箱である。
【背景技術】
【０００２】
現在、兵士たちが外で作戦する時、糧を置くために軍用の弁当箱を携帯する必要があり、従来の軍用弁当箱が外で使用される時、単に糧を置くことだけができ、又は小型のかまどを作ることによりご飯を作り、かまどを作るのは時間や精力を費やし、このような設計は快速作戦の中の使用に不利である。
【先行技術文献】
【特許文献】
【０００３】
【特許文献１】中国特許出願公開第１０５６３９９６０号明細書
【発明の概要】
【発明が解決しようとする課題】
【０００４】
本発明は軍用の便利な弁当箱を提供し、上記背景技術において提出された問題を解決することを目的とする。
【課題を解決するための手段】
【０００５】
上記の目的を実現するために、本発明は以下の技術プランを提供する：軍用の便利な弁当箱は、弁当箱を含み、前記弁当箱の中には作動チャンバが設置され、前記作動チャンバの中には蒸煮装置が設置され、前記蒸煮装置は蓋を含み、前記蒸煮装置は前記蓋を開けることにより、水と蒸し煮が必要な糧又は料理などを前記作動チャンバの中に入れ、前記作動チャンバの左右端壁には引っ掛かり溝が対称的に設置され、前記作動チャンバの下端壁には伸縮溝が左右対称的に設置され、前記作動チャンバの下端壁にはまた六つの蒸汽溝が設置され、前記蒸汽溝の下端壁には水溝が設置され、前記作動チャンバの左右端壁には収納空間が対称的に設置され、前記収納空間の中には支持装置が設置され、前記支持装置は捻りバネ板と固定長ロッドとを含み、前記支持装置は前記固定長ロッドと前記捻りバネ板との伸長により、前記弁当箱を支持し、これにより前記弁当箱が地面から離脱することができ、ご飯を作ることに便利を与え、前記収納空間のうち前記作動チャンバに近接している一端にはカム溝が設置され、前記収納空間の下端壁には底溝が設置され、前記底溝のうち前記作動チャンバに近接している一端には固定溝が設置され、前記固定溝の上端壁には収納ブロック溝が設置された。
【０００６】
好ましくは、前記蒸煮装置は弧状溝を含み、前記弧状溝が前記蓋の上端面に位置しており、前記弧状溝の下端壁には排気口が設置され、前記弧状溝の左右端壁には当接ブロックスライド溝が対称的に設置され、前記当接ブロックスライド溝の下端壁にはリミット溝が設置され、前記当接ブロックスライド溝の中には当接ブロックがスライドできるように連結され、前記当接ブロックが前記引っ掛かり溝とスライドできるように連結され、前記当接ブロックの下端にはリミットブロックが設置され、前記リミットブロックが前記リミット溝とスライドできるように連結され、前記リミット溝と前記リミットブロックとの間にはリミットバネが連結され、前記当接ブロックのうち前記作動チャンバの中心に近接している一端には取っ手が設置され、前記蓋の下端面には支持ロッドが対称的に設置され、前記支持ロッドの下端には蒸し板が設置され、前記蓋の下端面には伸縮ロッドが左右対称的に設置され、前記伸縮ロッドが前記伸縮溝とスライドできるように連結され、前記伸縮ロッドの下端には前記伸縮溝とスライドできるように連結されたバネブロックが設置され、前記バネブロックと前記伸縮溝との間には復帰バネが連結され、前記取っ手を前記排気口の方向に向かって引き、前記蓋と前記蒸し板とが自動的に弾き出される。
【０００７】
好ましくは、前記支持装置は左右合計二つ設置され、左の前記支持装置を例として説明し、前記収納空間の前後端壁にはヒンジ連結ロッドが回転できるように連結され、前記ヒンジ連結ロッドには捻りバネが設置され、前記捻りバネが前記捻りバネ板と固定的に連結され、前記捻りバネ板の上端には六つの引っ掛かりヘッドが設置され、前記捻りバネ板の下端にはスライド空間が設置され、前記スライド空間の中には前記固定長ロッドがスライドできるように連結され、前記固定長ロッドと前記スライド空間との間には固定バネが設置され、前記カム溝の中にはＬロッドがスライドできるように連結され、前記Ｌロッドが前記引っ掛かりヘッドと当接することができ、前記Ｌロッドと前記カム溝との間にはＬロッドバネが上下対称的に連結され、前記カム溝の上端壁と前記弁当箱の上端面にはカム軸が回転できるように連結され、前記カム軸の上端にはつまみが設置され、前記カム軸の下端にはカムが設置され、前記収納ブロック溝の中には収納ブロックがスライドできるように連結され、前記収納ブロックと前記収納ブロック溝との間には収納バネが連結され、前記収納ブロックの中には内溝が設置され、前記内溝の中には頂板がスライドできるように連結され、前記頂板と前記内溝との間にはボタンバネが左右対称的に設置され、前記頂板の下端には連結ロッドが設置され、前記連結ロッドが前記収納ブロックとスライドできるように連結され、前記連結ロッドの下端にはボタンが設置され、前記固定溝の前後端壁には断熱ソフトブロックが対称的に設置され、前記連結ロッドが右方へ移動する時、前記ボタンバネの間に引っかかることができ、前記頂板が上方へ移動することにより、前記固定長ロッドを前記内溝から押し出すことができる。
【発明の効果】
【０００８】
本発明の有益効果は：本装置は軍用弁当箱を支持して地面から離れさせることができ、弁当箱を加熱することに便利を与え、かまどを作る時間を省き、快速にご飯を温める作業を完成でき、同時に本装置は一つの方形ブロックに収縮でき、本装置の携帯しやすさを表し、携帯や使用に便利である。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の軍用の便利な弁当箱の全体全断面の正面構成模式図
【図２】図２は本発明の図１の中のＡ―Ａ方向の断面図
【図３】図３は本発明の図１の中の上面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
図１〜３を参照し、本発明の実施例の軍用の便利な弁当箱は、弁当箱２１を含み、前記弁当箱２１の中には作動チャンバ６０が設置され、前記作動チャンバ６０の中には蒸煮装置１０１が設置され、前記蒸煮装置１０１は蓋３７を含み、前記蒸煮装置１０１は前記蓋３７を開けることにより、水と蒸し煮が必要な糧又は料理などを前記作動チャンバ６０の中に入れ、前記作動チャンバ６０の左右端壁には引っ掛かり溝２７が対称的に設置され、前記作動チャンバ６０の下端壁には伸縮溝４２が左右対称的に設置され、前記作動チャンバ６０の下端壁にはまた六つの蒸汽溝４５が設置され、前記蒸汽溝４５の下端壁には水溝４６が設置され、前記作動チャンバ６０の左右端壁には収納空間６３が対称的に設置され、前記収納空間６３の中には支持装置１０２が設置され、前記支持装置１０２は捻りバネ板６１と固定長ロッド５７とを含み、前記支持装置１０２は前記固定長ロッド５７と前記捻りバネ板６１との伸長により、前記弁当箱２１を支持し、これにより前記弁当箱２１が地面から離脱することができ、ご飯を作ることに便利を与え、前記収納空間６３のうち前記作動チャンバ６０に近接している一端にはカム溝２２が設置され、前記収納空間６３の下端壁には底溝５１が設置され、前記底溝５１のうち前記作動チャンバ６０に近接している一端には固定溝５０が設置され、前記固定溝５０の上端壁には収納ブロック溝４７が設置された。
【００１４】
有益的には、前記蒸煮装置１０１は弧状溝３４を含み、前記弧状溝３４が前記蓋３７の上端面に位置しており、前記弧状溝３４の下端壁には排気口３６が設置され、前記弧状溝３４の左右端壁には当接ブロックスライド溝４０が対称的に設置され、前記当接ブロックスライド溝４０の下端壁にはリミット溝２９が設置され、前記当接ブロックスライド溝４０の中には当接ブロック２８がスライドできるように連結され、前記当接ブロック２８が前記引っ掛かり溝２７とスライドできるように連結され、前記当接ブロック２８の下端にはリミットブロック３２が設置され、前記リミットブロック３２が前記リミット溝２９とスライドできるように連結され、前記リミット溝２９と前記リミットブロック３２との間にはリミットバネ３１が連結され、前記当接ブロック２８のうち前記作動チャンバ６０の中心に近接している一端には取っ手３５が設置され、前記蓋３７の下端面には支持ロッド３９が対称的に設置され、前記支持ロッド３９の下端には蒸し板３３が設置され、前記蓋３７の下端面には伸縮ロッド４１が左右対称的に設置され、前記伸縮ロッド４１が前記伸縮溝４２とスライドできるように連結され、前記伸縮ロッド４１の下端には前記伸縮溝４２とスライドできるように連結されたバネブロック４３が設置され、前記バネブロック４３と前記伸縮溝４２との間には復帰バネ４４が連結され、前記取っ手３５を前記排気口３６の方向に向かって引き、前記蓋３７と前記蒸し板３３とが自動的に弾き出される。
【００１５】
有益的には、前記支持装置１０２は左右合計二つ設置され、左の前記支持装置１０２を例として説明し、前記収納空間６３の前後端壁にはヒンジ連結ロッド５９が回転できるように連結され、前記ヒンジ連結ロッド５９には捻りバネ７０が設置され、前記捻りバネ７０が前記捻りバネ板６１と固定的に連結され、前記捻りバネ板６１の上端には六つの引っ掛かりヘッド６２が設置され、前記捻りバネ板６１の下端にはスライド空間３８が設置され、前記スライド空間３８の中には前記固定長ロッド５７がスライドできるように連結され、前記固定長ロッド５７と前記スライド空間３８との間には固定バネ５８が設置され、前記カム溝２２の中にはＬロッド２５がスライドできるように連結され、前記Ｌロッド２５が前記引っ掛かりヘッド６２と当接することができ、前記Ｌロッド２５と前記カム溝２２との間にはＬロッドバネ２６が上下対称的に連結され、前記カム溝２２の上端壁と前記弁当箱２１の上端面にはカム軸７１が回転できるように連結され、前記カム軸７１の上端にはつまみ２４が設置され、前記カム軸７１の下端にはカム２３が設置され、前記収納ブロック溝４７の中には収納ブロック４９がスライドできるように連結され、前記収納ブロック４９と前記収納ブロック溝４７との間には収納バネ４８が連結され、前記収納ブロック４９の中には内溝５６が設置され、前記内溝５６の中には頂板５５がスライドできるように連結され、前記頂板５５と前記内溝５６との間にはボタンバネ５４が左右対称的に設置され、前記頂板５５の下端には連結ロッド５２が設置され、前記連結ロッド５２が前記収納ブロック４９とスライドできるように連結され、前記連結ロッド５２の下端にはボタン５３が設置され、前記固定溝５０の前後端壁には断熱ソフトブロック６４が対称的に設置され、前記連結ロッド５２が右方へ移動する時、前記ボタンバネ５４の間に引っかかることができ、前記頂板５５が上方へ移動することにより、前記固定長ロッド５７を前記内溝５６から押し出すことができる。
【００１６】
以下、出願人は付図１〜３及び上記の本出願の軍用の便利な弁当箱の具体的な構成を参照して本出願の軍用の便利な弁当箱の使用方法を詳しく紹介する：まず、初期状態において、作動チャンバ６０により水溝４６の中に水を入れ、蒸し板３３の上端面と作動チャンバ６０の上端壁に食べ物が置かれており、蓋３７により作動チャンバ６０を閉じ、固定長ロッド５７が内溝５６の中にある。
【００１７】
使用する時、まずボタン５３と連結ロッド５２とを上方へ押し、そしてボタン５３を作動チャンバ６０の中心の方向に向かって移動させ、また連結ロッド５２を断熱ソフトブロック６４の中に引っ掛からせ、固定長ロッド５７が自動的にスライド空間３８から弾き出され、そして捻りバネ板６１を外方へ引き、適した位置まで調整し、これによりＬロッド２５に引っ掛かりヘッド６２が引っ掛かり、そして弁当箱２１の下端面を加熱し、水溝４６の蒸汽が食べ物を加熱し、加熱が完了した時、取っ手３５を排気口３６の方向へ引き、蓋３７と蒸し板３３とが自動的に弾き出され、そして食べ物を取り出して食べることができ、使用し終わった時、蓋３７を下方へ押して当接ブロック２８を引っ掛かり溝２７の中に引っ掛からせ、そしてつまみ２４を回転させ、Ｌロッド２５を作動チャンバ６０の中心の方向へ押し、これにより捻りバネ板６１が捻りバネ７０により自動的に復帰し、ご飯を食べ終わった後、固定長ロッド５７をスライド空間３８に推し、また収納ブロック４９をボタン５３により抜き出せばよい。
【００１８】
本発明の有益効果は：本装置は軍用弁当箱を支持して地面から離れさせることができ、弁当箱を加熱することに便利を与え、かまどを作る時間を省き、快速にご飯を温める作業を完成でき、同時に本装置は一つの方形ブロックに収縮でき、本装置の携帯しやすさを表し、携帯や使用に便利である。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020182773.tif 000003
【図２】
2020182773.tif 000004
【図３】
2020182773.tif 000005